(57)【要約】      （修正有）【課題】御札の損傷のおそれなく、御札を極めて容易に御札収納室に収めることができる神棚を提供する。【解決手段】御札収納室を有する木製の神棚１０において、高屋根の後側に別体に形成された後屋根部が、御札収納室の後壁２５の上方に形成された後屋根開口部２１ａの上に載置されており、後屋根部を取り外すことにより、開口部から御札収納室に御札を挿入できるようにした。後屋根部が、中央後屋根部、右後屋根部及び左後屋根部を備え、それぞれの下に開口部２１ａ，２３ａ，２２ａが形成されていてもよい。【選択図】図３
0003191329.tif 000002
【実用新案登録請求の範囲】
【請求項１】
御札収納室を有する木製の神棚において、
高屋根の後側に別体に形成された後屋根部が、
前記御札収納室の後壁の上方に形成された後屋根開口部の上に載置されており、
前記後屋根部を取り外すことにより、
御札収納室に御札を挿入できるようにしたことを特徴とする神棚。
【請求項２】
前記後屋根部が、中央後屋根部、右後屋根部及び左後屋根部を備えていることを特徴とする請求項１に記載の神棚。
【考案の詳細な説明】
【技術分野】
【０００１】
本考案は、神棚に関するものである。さらに詳しくは、御札の収納、交換が容易な構造を有する神棚に関するものである。
【背景技術】
【０００２】  神棚は、従来より図１に示されるような白木造りの屋根違い三社が一般に利用されている。例えば、神棚として、図１に示す如く、屋代をかたどった形式の高屋根１１の中央御札収納室１１ａ、低屋根１２、１３の左・右御札収納室１２ａ、１３ａを備えた屋根違い三社タイプのものがある。  そして、各収納室の両開き扉をあけて、例えば、中央御札収納室１１ａに（公序良俗違反につき、不掲載）の御札（天照大神）を、向かって左御札収納室１２ａに信仰する神社の御札を、右御札収納室１３ａに氏神の御札をそれぞれ入れて祀るようにしている。  しかしながら、上記従来の中央御札収納室１１ａ、左・右御札収納室１２ａ、１３ａの両開き扉を開いて御札を入れる方式では、欄干１５が御札を入れる際の障害になり、御札を左右の間に入れにくかった。  また、両開き扉の高さよりも長い御札は何れの御札収納室にも入れにくく、とりわけ、左・右御札収納室１２ａ、１３ａにおいては、両開き扉の開口高さが、通常、御札の高さより低く、御札を入れずらく、無理に入れると、御札を損傷するおそれがあった。  このような問題を解消するため、欄干１５を取り外し可能な構造とすることも提案されているが、欄干１５がしっかり固定されていないので不安定となり、使用中に外れたりすることがある。このため、背板スライドさせて開閉させる神棚が提案されている（実用新案登録第３０１９６１４号）。  しかしながら、特許文献１に記載の神棚は、背板全体をスライドさせる場合に、空気中の湿度により木材が伸縮によって、スライド開閉が困難となったりガタツキが発生したりするおそれがある。
【先行技術文献】
【特許文献】
【０００３】
【特許文献１】実用新案登録第３０１９６１４号公報
【考案の概要】
【考案が解決しようとする課題】
【０００４】
本考案は、上記のような従来技術の問題点を解決するために、通常の大きさの御札から長い御札までを、御札の損傷のおそれなく、極めて容易に御札収納室に収めることができ、
構造が簡単でかつ安価な神棚を提供することを目的とする。
【課題を解決するための手段】
【０００５】
本考案は、上記課題を下記構成により解決するものである。
（１）本考案の神棚は、
御札収納室を有する木製の神棚において、
高屋根の後側に別体に形成された後屋根部が、
前記御札収納室の後壁の上方に形成された後屋根開口部の上に載置されており、
前記後屋根部を取り外すことにより、
御札収納室に御札を挿入できるようにしたことを特徴とする。
（２）本考案の神棚は、上記（１）において、
前記後屋根部が、中央後屋根部、右後屋根部及び左後屋根部を備えていることを特徴とする。
【考案の効果】
【０００６】
本考案に係る神棚は、上記各構成により、下記効果を奏する。
上記各構成とすることにより、御札を御札収納室の直上から、真っ直ぐな状態で、しかも、ほとんど他の壁部と干渉させることなく御札収納室に入れることができ、御札収納室の両開き扉の高さが御札より小さくても、極めて容易に御札収納室に収めることができる。
すなわち、御札を御札収納室に納めるに際して、御札を損傷させるおそれがない。
さらに、御札挿入用の開口部も３カ所設けられているため、御札を入れ間違えた場合にも、取り出して容易に入れ替えることができる。
【図面の簡単な説明】
【０００７】
【図１】本考案の実施の形態に係る神棚を前方から見た外観斜視図である。
【図２】本考案の実施の形態に係る神棚を後方から見た外観斜視図である。
【図３】本考案の実施の形態に係る神棚の３カ所の後屋根部を取り外して、後壁の上方に後屋根開口部を形成した状態を示した神棚の後方外観斜視図である。
【図４】本考案の実施の形態に係る神棚の後屋根開口部から御札を入れる状態を示した神棚の側面断面図である。
【考案を実施するための形態】
【０００８】
以下、本考案の実施の形態を図面に基づいて説明する。
なお、三社タイプについて説明をするが、本考案の技術的範囲はこれに限られるものではなく、一社タイプ、五社タイプ、七社タイプ等にも適用可能である。
【０００９】
本考案の神棚１０は、図１に示すように、前方から見た外観は従来のものと同様である。
即ち、中央高屋根１１の下に中央御札収納室１１ａ、左・右高屋根１２、１３の下に左・右御札収納室１２ａ、１３ａが備えられている。
【００１０】
図２は神棚を後方から見た外観斜視図である。
図に示すように、屋根部材である中央高屋根１１、左・右高屋根１２、１３の後側に、それぞれ別体に形成された中央後屋根部２１、左後屋根部２２、右後屋根部２３が、設けられている。
【００１１】
すなわち、中央高屋根１１、左・右高屋根１２、１３の下方において、中央御札収納室１１ａ、及び左・右御札収納室１２ａ、１３ａが設けられており、それらの後方に横長の後壁２５が固定されている。
そして、後壁２５の上方には、後壁２５に連設し、中央が高く左右が低い後壁補助板２６の上端に、中央後屋根部２１、左後屋根部２２、右後屋根部２３が載置されている。
【００１２】
図３は、３カ所の後屋根部を取り外して、後壁２５の上方に後屋根開口部を形成した状態を示した神棚の後方外観斜視図である。
図に示すように、中央後屋根部２１、左後屋根部２２及び右後屋根部２３を取り外して、
後壁２５に連設する後壁補助板２６の上に、それぞれ御札挿入用の後屋根開口部を形成した。
すなわち、中央後屋根部２１を取り外して中央開口部２１ａを、左後屋根部２２を取り外して左開口部２２ａを、右後屋根部２３を取り外して右開口部２３ａをそれぞれ形成する。
【００１３】
図４は、神棚の後屋根開口部から御札を入れる状態を示した側面断面図である。
図に示すように、これらの開口部の直上から、御札を、真っ直ぐな状態で、しかも、ほとんど他の壁部と干渉させずに、収めることができる。逆に、取り出しも容易にできる。
【００１４】
その後、後屋根部を再び御札挿入用の開口部の上に載置して、閉じる。
なお、ここで、図４に示す如く、廊下部４２につながる床板４３の一部を切り欠いて、御札を底板４１に接触するようにしてもよい。
床板４３の一部を切り欠くことにより、より背の高い御札を納めることができるとともに、相対的に神棚の高さを低くすることが可能となる。
【産業上の利用可能性】
【００１５】
本考案の神棚は、御札を御札収納室の直上から、真っ直ぐな状態で、しかも、ほとんど他の壁部と干渉させることなく御札収納室に入れることができ、御札収納室の両開き扉の高さが御札より小さくても、極めて容易に御札収納室に収めることができ、御札挿入用の開口部も３カ所設けられているため、御札を入れ間違えた場合にも、取り出して容易に入れ替えることができ、産業上の利用可能性が高い。
【符号の説明】
【００１６】
１０：神棚
１１：中央高屋根
１１ａ：中央御札収納室
１２：左高屋根
１２ａ：左御札収納室
１３：右高屋根
１３ａ：右御札収納室
１５：欄干
２１：中央後屋根部
２１ａ：中央開口部
２２：左後屋根部
２２ａ：左開口部
２３：右後屋根部
２３ａ：右開口部
２５：後壁
２６：後壁補助板
４１：底板
４２：廊下部
４３：床板
【図１】
0003191329.tif 000003
【図２】
0003191329.tif 000004
【図３】
0003191329.tif 000005
【図４】
0003191329.tif 000006
【手続補正書】
【提出日】平成26年4月16日(2014.4.16)
【手続補正１】
【補正対象書類名】明細書
【補正対象項目名】０００２
【補正方法】変更
【補正の内容】
【０００２】
神棚は、従来より図１に示されるような白木造りの屋根違い三社が一般に利用されている。例えば、神棚として、図１に示す如く、屋代をかたどった形式の高屋根１１の中央御札収納室１１ａ、低屋根１２、１３の左・右御札収納室１２ａ、１３ａを備えた屋根違い三社タイプのものがある。
そして、各収納室の両開き扉をあけて、例えば、中央御札収納室１１ａに天照大神の御札を、向かって左御札収納室１２ａに信仰する神社の御札を、右御札収納室１３ａに氏神の御札をそれぞれ入れて祀るようにしている。
しかしながら、上記従来の中央御札収納室１１ａ、左・右御札収納室１２ａ、１３ａの両開き扉を開いて御札を入れる方式では、欄干１５が御札を入れる際の障害になり、御札を左右の間に入れにくかった。
また、両開き扉の高さよりも長い御札は何れの御札収納室にも入れにくく、とりわけ、左・右御札収納室１２ａ、１３ａにおいては、両開き扉の開口高さが、通常、御札の高さより低く、御札を入れずらく、無理に入れると、御札を損傷するおそれがあった。
このような問題を解消するため、欄干１５を取り外し可能な構造とすることも提案されているが、欄干１５がしっかり固定されていないので不安定となり、使用中に外れたりすることがある。このため、背板スライドさせて開閉させる神棚が提案されている（実用新案登録第３０１９６１４号）。
しかしながら、特許文献１に記載の神棚は、背板全体をスライドさせる場合に、空気中の湿度により木材が伸縮によって、スライド開閉が困難となったりガタツキが発生したりするおそれがある。